(57)【特許請求の範囲】
【請求項１】
複数のページを含む電子文書の画像をページ単位で表示する複数の表示装置と、前記複数の表示装置と通信して、前記電子文書に含まれるページの画像を表示する表示装置をページ毎に特定する制御装置と、を備え、前記電子文書に含まれる各ページとそのページの表示に用いる表示装置との対応を定める順序付けが前記複数の表示装置に対して予めなされておらず、前記電子文書に含まれる各ページを比較可能に別々の表示装置に表示することが可能な文書表示システムであって、
前記複数の表示装置の各々は、利用者により表示を指示する操作が行われたことを検出する検出手段と、前記検出手段により前記操作が検出されたことに応じて、前記操作された自装置の装置識別情報を前記制御装置に送信する識別情報送信手段と、前記制御装置から送信されるページの画像を受信するページ画像受信手段と、前記ページ画像受信手段によりページの画像が受信されたことに応じて、自装置の表示を前記受信したページの画像に書き換える書換手段と、を有し、
前記制御装置は、前記表示装置から送信される装置識別情報を受信する識別情報受信手段と、前記電子文書に含まれる複数のページのうち、前記複数の表示装置のいずれにも未送信で且つ最先のページを特定するページ特定手段と、前記識別情報受信手段により装置識別情報が受信される毎に、前記ページ特定手段により特定されたページの画像を、前記受信した装置識別情報に該当する表示装置に対して送信するページ画像送信手段と、を有する、
ことを特徴とする文書表示システム。
【請求項２】
複数のページを含む電子文書の画像をページ単位で表示する複数の表示装置と、前記複数の表示装置と通信して、前記電子文書に含まれるページの画像を表示する表示装置をページ毎に特定する制御装置と、を備え、前記電子文書に含まれる各ページとそのページの表示に用いる表示装置との対応を定める順序付けが前記複数の表示装置に対して予めなされておらず、前記電子文書に含まれる各ページを比較可能に別々の表示装置に表示することが可能な文書表示システムであって、
前記複数の表示装置の各々は、利用者が表示を予約する操作を行ったことを検出する検出手段と、前記検出手段により前記操作が検出されたことに応じて、前記操作された自装置の装置識別情報を前記制御装置に送信する識別情報送信手段と、前記制御装置から送信されるページの画像を受信するページ画像受信手段と、前記ページ画像受信手段によりページの画像が受信されたことに応じて、自装置の表示を前記受信したページの画像に書き換える書換手段と、を有し、
前記制御装置は、前記表示装置から送信される装置識別情報を受信する識別情報受信手段と、前記識別情報受信手段により受信された装置識別情報及びその受信日時を記憶する識別情報記憶手段と、前記電子文書に含まれる複数のページのうち、前記複数の表示装置のいずれにも未送信で且つ最先のページを特定するページ特定手段と、前記表示装置又は当該制御装置において表示指示が発生する毎に、前記識別情報記憶手段に記憶された装置識別情報のうち、装置識別情報の受信順に対応するページの画像をその装置識別情報に該当する表示装置に対して送信する処理が未処理で且つ受信日時が最先の装置識別情報に該当する表示装置に対して、前記ページ特定手段により特定されたページの画像を送信するページ画像送信手段と、を有する、
ことを特徴とする文書表示システム。
【請求項３】
前記制御装置は、各ページの表示を許可する表示装置の装置識別情報を記憶する第１の記憶手段を更に備え、
前記第１の記憶手段の記憶内容に基づいて、前記識別情報受信手段により受信された装置識別情報に該当する表示装置に対して前記特定されたページの表示が許可されているか否かを判定し、表示が許可されていると判定された場合に、前記特定されたページの画像を前記受信した装置識別情報に該当する表示装置に対して送信することを特徴とする請求項１又は請求項２に記載の文書表示システム。
【請求項４】
前記制御装置は、各ページの表示を許可する利用者を識別する利用者識別情報を記憶する第２の記憶手段を更に備え、
前記識別情報送信手段は、その表示装置を操作する利用者の利用者識別情報を装置識別情報と共に送信し、
前記制御装置は、前記第２の記憶手段の記憶内容に基づいて、前記識別情報受信手段により装置識別情報と共に受信された利用者識別情報に該当する利用者に対して前記特定されたページの表示が許可されているか否かを判定し、表示が許可されていると判定された場合に、前記特定されたページの画像を前記受信した装置識別情報に該当する表示装置に対して送信することを特徴とする請求項１乃至請求項３のいずれか１項に記載の文書表示システム。
【請求項５】
複数のページを含む電子文書の画像をページ単位で表示する複数の表示装置と通信して、前記電子文書に含まれるページの画像を表示する表示装置をページ毎に特定する制御装置であって、前記電子文書に含まれる各ページとそのページの表示に用いる表示装置との対応を定める順序付けが前記複数の表示装置に対して予めなされておらず、前記電子文書に含まれる各ページを比較可能に別々の表示装置に表示することが可能な文書表示システムに設けられる制御装置であり、
利用者が表示を予約する操作を行ったことを検出した表示装置から送信される当該表示装置の装置識別情報を受信する識別情報受信手段と、
前記識別情報受信手段により受信された装置識別情報及びその受信日時を記憶する識別情報記憶手段と、
前記電子文書に含まれる複数のページのうち、前記複数の表示装置のいずれにも未送信で且つ最先のページを特定するページ特定手段と、
前記表示装置又は当該制御装置において表示指示が発生する毎に、前記識別情報記憶手段に記憶された装置識別情報のうち、装置識別情報の受信順に対応するページの画像をその装置識別情報に該当する表示装置に対して送信する処理が未処理で且つ受信日時が最先の装置識別情報に該当する表示装置の表示を書き換えるために、当該表示装置に対して、前記ページ特定手段により特定されたページの画像を送信するページ画像送信手段と、
を備えたことを特徴とする制御装置。
【請求項６】
複数のページを含む電子文書の画像をページ単位で表示する複数の表示装置と通信して、前記電子文書に含まれるページの画像を表示する表示装置をページ毎に特定する制御装置であって、前記電子文書に含まれる各ページとそのページの表示に用いる表示装置との対応を定める順序付けが前記複数の表示装置に対して予めなされておらず、前記電子文書に含まれる各ページを比較可能に別々の表示装置に表示することが可能な文書表示システムに設けられる制御装置のコンピュータに、
利用者が表示を予約する操作を行ったことを検出した表示装置から送信される当該表示装置の装置識別情報を受信する識別情報受信機能と、
前記識別情報受信機能により受信された装置識別情報及びその受信日時を記憶する識別情報記憶機能と、
前記電子文書に含まれる複数のページのうち、前記複数の表示装置のいずれにも未送信で且つ最先のページを特定するページ特定機能と、
前記表示装置又は当該制御装置において表示指示が発生する毎に、前記識別情報記憶機能により記憶された装置識別情報のうち、装置識別情報の受信順に対応するページの画像をその装置識別情報に該当する表示装置に対して送信する処理が未処理で且つ受信日時が最先の装置識別情報に該当する表示装置の表示を書き換えるために、当該表示装置に対して、前記ページ特定機能により特定されたページの画像を送信するページ画像送信機能と、
を実現させるためのプログラム。
【発明の詳細な説明】
【技術分野】
【０００１】
本発明は、文書表示システム、表示装置、制御装置、及びプログラムに関する。
【背景技術】
【０００２】
印刷物は一般に外部からのインクやトナー等の着色材料や現像材料を紙を代表とする媒体上に供給することで固定的な画像表示を行わせるものであるが、このような固定的に画像を表示保持する媒体に代替可能な媒体として、書込外力に応じて画像が書換可能に形成され且つ当該書込外力を除去した後も形成された画像を表示保持する表示保持媒体が研究開発されている。
【０００３】
このような表示保持媒体は、画像を表示保持する領域としての表示部の内部に画像を構成する表示材料を含有し、この表示材料に書込外力（電気、磁気、熱、所定ＰＨの液体といった化学的作用等）を作用させることで、表示材料が物理的或いは化学的に状態が変化して書込外力に応じた画像が形成され、また、この書込外力を除去した後でも形成された画像が維持され、さらに、異なる書込外力を作用させると先の画像が新たな書込外力に応じた画像へと変化するものである。このように書込外力を無くした状態での表示状態の維持（記憶）が紙のようである点に加えて、着色材料や現像剤を外部から供給することなく表示画像を書き換えられる点が電子デバイス的であることから、電子ペーパと称せられることが多い。
【０００４】
ここで、電子ペーパを利用した以下のような発明が提案されている。
書込装置２０の制御部２２が、電子ペーパー５０の枚数を計数してコンピュータ３０に出力し、コンピュータ３０の制御部３２が、表示用データを頁変換し、更に、電子ペーパー５０の枚数と表示用データの頁数とを比較して、電子ペーパー５０の枚数が表示用データの頁数より少ない場合には、書込禁止、書込範囲の指定、サムネイル表示等の書込態様で電子ペーパー５０に対する書込みの仕方を制御することにより、表示するコンテンツのデータ量及び表示媒体の表示量または枚数に応じて、複数の表示媒体に対する書込みを適切に行う発明が提案されている（特許文献１参照）。
【０００５】
複数の電子ペーパーを有する電子ブックにおいて、ユーザが電子ペーパーに表示されている情報を必要としないことを指示するための指示装置を有しており、制御部３１が、この指示装置から表示情報の不要指示を受けると、第１の電子ペーパー２１の表示を切り替えるため、データ格納部３４あるいは外部通信部３５を介して外部データ格納部３６へとアクセスし、次に表示するコンテンツデータを取得し、ページ情報記憶部３２に記憶させるととも、第１の電子ペーパー２１に新たな次の情報を表示させるよう制御することにより、ユーザに頁めくり動作を意識させず、消費電力を低く抑えることを可能にする発明が提案されている（特許文献２参照）。
【０００６】
【特許文献１】特開２００４−２８６９５２号公報
【特許文献２】特開２００４−２３３６０３号公報
【発明の開示】
【発明が解決しようとする課題】
【０００７】
電子文書の表示先として複数の表示装置（例えば電子ペーパやディスプレイ装置）が用意されている場合、電子文書の各ページの閲覧容易性や比較容易性の観点から、各ページを別々の表示装置に出力することが考えられる。
この場合、各ページとその出力先の表示装置との対応付け作業が利用者に必要となるが、各表示装置が予め順序付けされている場合を除くと、ページや表示装置の多さに比例して対応付け作業が面倒になることが想定されるため、この作業を簡易に行える方法が期待されている。
【０００８】
本発明は、上記従来の事情に鑑みなされたものであり、予め順序付けされていない複数の表示装置に対し、複数のページを含む電子文書をページ単位で表示させるにあたり、どの表示装置にどのページを表示するかを利用者が簡易に指定できるようにすることを目的としている。
【課題を解決するための手段】
【０００９】
請求項１に記載の本発明は、複数のページを含む電子文書の画像をページ単位で表示する複数の表示装置と、前記複数の表示装置と通信して、前記電子文書に含まれるページの画像を表示する表示装置をページ毎に特定する制御装置と、を備え、前記電子文書に含まれる各ページとそのページの表示に用いる表示装置との対応を定める順序付けが前記複数の表示装置に対して予めなされておらず、前記電子文書に含まれる各ページを比較可能に別々の表示装置に表示することが可能な文書表示システムであって、前記複数の表示装置の各々は、利用者により表示を指示する操作が行われたことを検出する検出手段と、前記検出手段により前記操作が検出されたことに応じて、前記操作された自装置の装置識別情報を前記制御装置に送信する識別情報送信手段と、前記制御装置から送信されるページの画像を受信するページ画像受信手段と、前記ページ画像受信手段によりページの画像が受信されたことに応じて、自装置の表示を前記受信したページの画像に書き換える書換手段と、を有し、前記制御装置は、前記表示装置から送信される装置識別情報を受信する識別情報受信手段と、前記電子文書に含まれる複数のページのうち、前記複数の表示装置のいずれにも未送信で且つ最先のページを特定するページ特定手段と、前記識別情報受信手段により装置識別情報が受信される毎に、前記ページ特定手段により特定されたページの画像を、前記受信した装置識別情報に該当する表示装置に対して送信するページ画像送信手段と、を有する、ことを特徴とする文書表示システムである。
【００１０】
請求項２に記載の本発明は、複数のページを含む電子文書の画像をページ単位で表示する複数の表示装置と、前記複数の表示装置と通信して、前記電子文書に含まれるページの画像を表示する表示装置をページ毎に特定する制御装置と、を備え、前記電子文書に含まれる各ページとそのページの表示に用いる表示装置との対応を定める順序付けが前記複数の表示装置に対して予めなされておらず、前記電子文書に含まれる各ページを比較可能に別々の表示装置に表示することが可能な文書表示システムであって、前記複数の表示装置の各々は、利用者が表示を予約する操作を行ったことを検出する検出手段と、前記検出手段により前記操作が検出されたことに応じて、前記操作された自装置の装置識別情報を前記制御装置に送信する識別情報送信手段と、前記制御装置から送信されるページの画像を受信するページ画像受信手段と、前記ページ画像受信手段によりページの画像が受信されたことに応じて、自装置の表示を前記受信したページの画像に書き換える書換手段と、を有し、前記制御装置は、前記表示装置から送信される装置識別情報を受信する識別情報受信手段と、前記識別情報受信手段により受信された装置識別情報及びその受信日時を記憶する識別情報記憶手段と、前記電子文書に含まれる複数のページのうち、前記複数の表示装置のいずれにも未送信で且つ最先のページを特定するページ特定手段と、前記表示装置又は当該制御装置において表示指示が発生する毎に、前記識別情報記憶手段に記憶された装置識別情報のうち、装置識別情報の受信順に対応するページの画像をその装置識別情報に該当する表示装置に対して送信する処理が未処理で且つ受信日時が最先の装置識別情報に該当する表示装置に対して、前記ページ特定手段により特定されたページの画像を送信するページ画像送信手段と、を有する、ことを特徴とする文書表示システムである。
【００１２】
請求項３に記載の本発明は、請求項１又は請求項２に記載の文書表示システムにおいて、前記制御装置は、各ページの表示を許可する表示装置の装置識別情報を記憶する第１の記憶手段を更に備え、前記第１の記憶手段の記憶内容に基づいて、前記識別情報受信手段により受信された装置識別情報に該当する表示装置に対して前記特定されたページの表示が許可されているか否かを判定し、表示が許可されていると判定された場合に、前記特定されたページの画像を前記受信した装置識別情報に該当する表示装置に対して送信することを特徴とする文書表示システムである。
【００１３】
請求項４に記載の本発明は、請求項１乃至請求項３のいずれか１項に記載の文書表示システムにおいて、前記制御装置は、各ページの表示を許可する利用者を識別する利用者識別情報を記憶する第２の記憶手段を更に備え、前記識別情報送信手段は、その表示装置を操作する利用者の利用者識別情報を装置識別情報と共に送信し、前記制御装置は、前記第２の記憶手段の記憶内容に基づいて、前記識別情報受信手段により装置識別情報と共に受信された利用者識別情報に該当する利用者に対して前記特定されたページの表示が許可されているか否かを判定し、表示が許可されていると判定された場合に、前記特定されたページの画像を前記受信した装置識別情報に該当する表示装置に対して送信することを特徴とする文書表示システムである。
【００１５】
請求項５に記載の本発明は、複数のページを含む電子文書の画像をページ単位で表示する複数の表示装置と通信して、前記電子文書に含まれるページの画像を表示する表示装置をページ毎に特定する制御装置であって、前記電子文書に含まれる各ページとそのページの表示に用いる表示装置との対応を定める順序付けが前記複数の表示装置に対して予めなされておらず、前記電子文書に含まれる各ページを比較可能に別々の表示装置に表示することが可能な文書表示システムに設けられる制御装置であり、利用者が表示を予約する操作を行ったことを検出した表示装置から送信される当該表示装置の装置識別情報を受信する識別情報受信手段と、前記識別情報受信手段により受信された装置識別情報及びその受信日時を記憶する識別情報記憶手段と、前記電子文書に含まれる複数のページのうち、前記複数の表示装置のいずれにも未送信で且つ最先のページを特定するページ特定手段と、前記表示装置又は当該制御装置において表示指示が発生する毎に、前記識別情報記憶手段に記憶された装置識別情報のうち、装置識別情報の受信順に対応するページの画像をその装置識別情報に該当する表示装置に対して送信する処理が未処理で且つ受信日時が最先の装置識別情報に該当する表示装置の表示を書き換えるために、当該表示装置に対して、前記ページ特定手段により特定されたページの画像を送信するページ画像送信手段と、を備えたことを特徴とする制御装置である。
【００１７】
請求項６に記載の本発明は、複数のページを含む電子文書の画像をページ単位で表示する複数の表示装置と通信して、前記電子文書に含まれるページの画像を表示する表示装置をページ毎に特定する制御装置であって、前記電子文書に含まれる各ページとそのページの表示に用いる表示装置との対応を定める順序付けが前記複数の表示装置に対して予めなされておらず、前記電子文書に含まれる各ページを比較可能に別々の表示装置に表示することが可能な文書表示システムに設けられる制御装置のコンピュータに、利用者が表示を予約する操作を行ったことを検出した表示装置から送信される当該表示装置の装置識別情報を受信する識別情報受信機能と、前記識別情報受信機能により受信された装置識別情報及びその受信日時を記憶する識別情報記憶機能と、前記電子文書に含まれる複数のページのうち、前記複数の表示装置のいずれにも未送信で且つ最先のページを特定するページ特定機能と、前記表示装置又は当該制御装置において表示指示が発生する毎に、前記識別情報記憶機能により記憶された装置識別情報のうち、装置識別情報の受信順に対応するページの画像をその装置識別情報に該当する表示装置に対して送信する処理が未処理で且つ受信日時が最先の装置識別情報に該当する表示装置の表示を書き換えるために、当該表示装置に対して、前記ページ特定機能により特定されたページの画像を送信するページ画像送信機能と、を実現させるためのプログラムである。
【発明の効果】
【００２０】
請求項１、請求項２に記載の文書表示システムによると、予め順序付けされていない複数の表示装置に対し、複数のページを含む電子文書をページ単位で表示させるにあたり、どの表示装置にどのページを表示するかを利用者が簡易に指定できる。更に、請求項２に記載の文書表示システムによると、各ページの表示先とする表示装置の予約指定が可能となる。
【００２１】
請求項３、請求項４に記載の文書表示システムによると、ページの表示制限を表示装置毎や利用者毎に行うことができる。
【００２２】
請求項５に記載の各制御装置によると、予め順序付けされていない複数の表示装置に対し、複数のページを含む電子文書をページ単位で表示させるにあたり、どの表示装置にどのページを表示するかを利用者が簡易に指定できる。更に、請求項５に記載の制御装置によると、各ページの表示先とする表示装置の予約指定が可能となる。
【００２３】
請求項６に記載の各プログラムによると、その実行によりコンピュータ上に実現される各機能手段により、予め順序付けされていない複数の表示装置に対し、複数のページを含む電子文書をページ単位で表示させるにあたり、どの表示装置にどのページを表示するかを利用者が簡易に指定できる。更に、請求項６に記載のプログラムによると、各ページの表示先とする表示装置の予約指定が可能となる。
【発明を実施するための最良の形態】
【００２４】
本発明を実施例に基づいて具体的に説明する。
図１は、本発明の一実施例に係る文書表示システムの構成を示しており、表示装置１と制御装置２とが互いに無線通信する構成としている。なお、本例の文書表示システムは複数の表示装置１を有しているが、図１ではそのうちの１つを代表して示している。
【００２５】
本例の文書表示システムでは、書込外力に応じて画像が書換可能に形成され且つ当該書込外力を除去した後も形成された画像を表示保持する表示保持媒体（いわゆる電子ペーパ）を用いて表示装置１を構成している。
電子ペーパの表示原理としては、電気、磁気、熱といった外力を直接印加して素子を駆動するもの、あるいは光照射に伴う電圧変化により素子を駆動するものや、電圧印加に伴う液体のＰＨ変化により呈色状態を変化させる等、連鎖的に素子を駆動する表示原理を用いるもの等がある。
【００２６】
電子ペーパの一例として、光照射により画像を書き換える電子ペーパ（以下、光書き込み型電子ペーパ）について具体的に説明する。
光書き込み型電子ペーパは、媒体の大部分を占める表示部１１の断面構造を表す図１１に示すように、複写機の感光体に利用されている有機光導電性材料の層（有機光導電層）６０と液晶表示材料の層（マイクロカプセル化したコレステリック液晶層）６１とを組み合わせ、これら層を表裏一対の透明電極６２で挟み、この積層体を表裏一対の透明な基材フィルム６３で挟んだ構造となっている。なお、この構成では、コレステリック液晶層６１が広い可視波長域の光を反射する白表示と、光が液晶層６１を透過しコレステリック液晶層６１と有機光導電層６０との間に設けられた黒色層６４で吸収される黒表示のモノクロ画像表示が可能である。さらにコレステリック液晶には螺旋ピッチに応じたカラー光を干渉反射するという特性があるので、コレステリック液晶層６１を螺旋ピッチの異なる液晶を積層した構成にすることにより、簡単な構造でカラー表示を実現することも可能である。
【００２７】
そして、光書き込み型電子ペーパは、表示部１１の動作原理を表す図１２に示すように、例えば画像書込み用の調光素子パネル（発光パネル）に転写する画像を表示して表示部１１に投影し、表示部１１に設けた書き込み用電極に電圧を印加すると、表示部１１は光の強弱を瞬時に反射濃度に変換して当該投影画像を保持する。そして、電極に消去電圧を印加することにより表示部１１に保持された画像情報を消去することができ、光書き込み型電子ペーパは書き込みと消去を繰り返して幾度も再使用することができる。なお、光書換き込み電子ペーパはこのような消去処理を行わずに、上記のように電極に電圧を印加して新たな画像を投影することにより、表示部１１に保持されている画像情報を上書きすることもでき、このような上書き処理によっても幾度も再使用することができる。
【００２８】
電子ペーパの他の例として、電気の直接印加により画像を書き換える電子ペーパ（以下、電気書換型電子ペーパ）について具体的に説明する。
電気書換型電子ペーパは、媒体の大部分を占める表示部１１の断面構造を表す図１３に示すように、微細な着色帯電粒子（図示の例では、白色粒子７１と黒色粒子７２）を少なくとも表面側が透明な表裏一対の電極７３間に封入し、これを少なくとも表面側が透明な表裏一対のフィルム基板７４で挟んだ構造となっている。着色粒子７１、７２が自由に移動できるように電極層７３間は空気層となっており、また、マトリックス状の電極層７３には着色粒子７１、７２との接触を防止する絶縁層７５が設けられている。なお、カラーフィルターを用いることにより、簡単な構造でカラー表示を実現することも可能である。
【００２９】
そして、電気書換型電子ペーパは、表示部１１の動作原理を表す図１４に示すように、電極７３に電圧を印加していない状態（但し、電極７３の前回の駆動時の極性はプラスであったとする）では、負（マイナス）に帯電した白色粒子７１は裏面側に溜まる一方、正（プラス）に帯電した黒色粒子７２は表面側に溜まり、表示部１１を表面側から目視すると表示部１１は黒色な状態となる。そして、電気書換型電子ペーパに接続されたドライバ（後述する書込手段１４）を画像データに基づいて動作させ、当該ドライバの機能により表示する画像に応じた表示部１１のマトリックスの所要部の電極極性を反転させると、白色粒子７１と黒色粒子７２との位置関係が入れ替わって、表示部１１に白色粒子７１と黒色粒子７２とのコントラストによる画像が表示される。なお、異なる画像データに基づいてドライバを動作させることにより、白色粒子７１と黒色粒子７２とのコントラストにより表示部１１に表示される画像を切り換えることができ、幾度も再使用することができる。
【００３０】
本実施例では電気書換型電子ペーパを用いて表示装置１を構成しており、図１に示すように、画像を表示保持する表示部１１、制御装置２と無線通信を行う通信手段１２、自装置を識別する媒体ＩＤを記憶する媒体ＩＤ記憶手段１３、制御装置２から受信する画像を表示部１１に書き込む書込手段１４、自装置に対して利用者が行った表示操作を検出する検出手段１５、を備えている。
また、図２に装置外観を示すように、表示部１１による表示の更新を指示するためのボタン１６を操作子として設けており、利用者による当該ボタン１６の押下を表示操作として受け付ける。
【００３１】
なお、本例のように表示保持媒体（電子ペーパ）を表示装置１に用いる構成に限られず、例えば液晶ディスプレイ等の他の表示原理により表示を行う装置を用いてもよい。
また、表示部１１を交換できるように構成してもよい。
また、ボタン１６に代えて、利用者による接触を感知するセンサ（例えば、静電センサ、加速度センサ、圧力センサ）を操作子として用いてもよい。
また、例えば、表示装置１の起動や、表示装置１によるページ表示の前提となるユーザ認証を表示操作として検出するようにしてもよい。
【００３２】
本例の制御装置２は、図１に示すように、表示装置１と無線通信を行う通信手段２１、表示装置１へのページ画像の送信を制御する制御手段２２、利用者から操作入力を受け付ける操作手段２３、電子文書の情報を記憶する文書情報記憶手段２４、表示装置１から受信する媒体ＩＤを受信順に記憶する予約情報記憶手段２５、を備えている。
【００３３】
本例では、携帯電話を制御装置２として用いているが、例えば、ＰＤＡ（Personal Digital Assistants）等の他の携帯型の装置や、デスクトップパソコン等の据置型の装置を用いてもよい。
また、本例では、文書情報記憶手段２４に保持された電子文書に基づいて各ページのページ画像を生成して表示装置１に送信するが、例えば、他の装置からネットワークを介して受信した電子文書に基づいてページ画像を生成して表示装置１に送信してもよく、自装置或いは他装置の撮影機能や画像読み取り機能等により生成された画像を予め保持しておき、表示装置１に送信するようにしてもよい。
【００３４】
本例の文書表示システムによる処理の流れを図３を参照して説明する。
なお、図中の各表示装置１（ＥＰ１、ＥＰ２、ＥＰ３）は、制御装置２との無線通信が可能な範囲内（本例では制御装置２から３０ｃｍ以内）の位置にあるものとする。
利用者が制御装置２を操作して複数ページ（本例では５ページ）を含む電子文書の出力指示を行うと、制御手段２２は、各ページのページ画像を先頭ページから順に送信待ち状態とする。このとき、未送信且つ最先のページを示す処理対象ページ情報として“１”が設定されて制御装置２のメモリに格納される。
【００３５】
まず、利用者がＥＰ１のボタン１６を押下して表示操作を行うと、ＥＰ１は、その表示操作を検出手段１５により検出し、自己の媒体ＩＤを含む操作指示情報Ｍ１を通信手段１２により制御装置２に送信する。制御装置２は、制御手段２２による制御の下、操作指示情報Ｍ１の受信に応じて、処理対象ページ情報“１”に従ってページ１のページ画像を生成して操作指示情報Ｍ１の送信元であるＥＰ１に通信手段２１により送信し、処理対象ページ情報に“１”を加算して“２”とする。ＥＰ１は、ページ１のページ画像の受信に応じて当該ページ画像を書込手段１４により表示部１１に表示する。
【００３６】
次に、利用者がＥＰ２のボタン１６を押下して表示操作を行うと、ＥＰ２は、その表示操作を検出して自己の媒体ＩＤを含む操作指示情報Ｍ２を制御装置２に送信する。制御装置２は、操作指示情報Ｍ２の受信に応じて、処理対象ページ情報“２”に従って生成したページ２のページ画像をＥＰ２に送信し、処理対象ページ情報に“１”を加算して“３”とする。ＥＰ２は、ページ２のページ画像の受信に応じて当該ページ画像を表示部１１に表示する。
また、利用者がＥＰ３のボタン１６を押下して表示操作を行うと、ＥＰ３及び制御装置２により同様の処理がなされ、ＥＰ３の表示部１１にページ３が表示される。
【００３７】
つまり、各表示装置１のボタン１６を押下するという簡易な操作で、その押下順に対応するページ順のページ画像が各表示装置１に表示される。
なお、上記の状態で利用者が更にＥＰ２のボタン１６を押下した場合は、ＥＰ２の表示をページ２からページ４に切り替えており、用意した表示装置１の数が電子文書のページ数より少ない状況にも対応できるようにしている。
【００３８】
本例では、液晶ディスプレイ等より安価な表示保持媒体（電子ペーパ）を表示装置１として用いているため利用者は複数枚の表示装置１を所有することが想定され、本システムの利用にあたり任意の数の表示装置１を用意することが考えられるが、このような任意の数の各表示装置１に順序関係が一切設定されていなくとも、任意のページ数の電子文書の各ページをページ順に沿って表示するにあたり、各ページを実際に表示しようとするタイミングでその表示に用いる表示装置１を簡易に指定できる。
【００３９】
本例の文書表示システムは、上述したような、表示装置１に対して利用者が行った表示操作の検出に応じて対応するページ画像を当該表示装置１に速やかに表示する即時表示機能のほかに、表示操作の検出順を一旦記憶しておき、表示装置１又は制御装置２を利用者が操作して行った表示指示や一定の時間毎に自動的に発行される表示指示に応じてページ画像を該当する表示装置１に表示する表示予約機能を有している。なお、即時表示機能又は表示予約機能のいずれを用いるかは、制御装置２を操作して利用者が指定することができる。
【００４０】
図４は、表示予約機能で用いる予約情報のデータ構成例を示している。
本例の予約情報は、各表示装置１から送信される操作指示情報に含まれる「媒体ＩＤ」、当該操作指示情報（媒体ＩＤ）を受信した「媒体ＩＤ受信日時」、当該操作指示情報に対してページ画像を送信した「ページ送信日時」、を組にした情報であり、予約情報記憶手段２５に格納される。すなわち、各操作指示情報（媒体ＩＤ）の受信順を、媒体ＩＤ受信日時により特定できるようにしている。
【００４１】
次に、表示予約機能が指定されている場合の処理を説明する。
表示装置１から操作指示情報を受信すると、当該操作指示情報に含まれる媒体ＩＤとその受信日時とを用いて予約情報を生成し、予約情報記憶手段２５に格納する。なお、この時点では、当該予約情報のページ送信日時は空欄である。
ページ画像の表示指示がなされると、媒体ＩＤ受信日時が最先且つページ送信日時が空欄の予約情報を特定し、当該予約情報の媒体ＩＤに該当する表示装置１に対して処理対象ページ番号に応じたページ画像を送信する。また、当該予約情報のページ送信日時に現在日時を記録し、処理対象ページ番号を加算する。
【００４２】
図５は、本発明の他の一例として、電子文書の各ページの表示を利用者や表示装置１毎に制限する機能を備えた文書表示システムにおける制御装置２の機能構成を示している。
本例の制御装置２は、図１に示した制御装置２に加えて、各電子文書の表示に要求される権限を設定した文書権限テーブル２６、各利用者に許可された権限を設定した利用者権限テーブル２７、各表示装置１に許可された権限を設定した媒体権限テーブル２８、を更に備えている。
本例では、図５〜７に示すように、各テーブルに高、中、低の３段階の権限を設定しており、利用者や表示装置１の権限が、電子文書の権限と同じ又はそれ以上の場合に当該電子文書の表示を許可する一方、電子文書の権限より低い場合に当該電子文書の各ページの表示を禁止している。
【００４３】
具体的には、表示装置１毎に表示を制限する場合には、制御装置２は、受信した操作指示情報に含まれる媒体ＩＤに基づいて表示装置１の権限を特定し、当該権限と対象の電子文書の権限とを比較して当該表示装置１に対する表示が許可されているか否かを判定し、許可されている場合（表示装置１の権限が電子文書の権限と同じ又はそれ以上の場合）にページ画像を返送する。これにより、例えば、会議室等に用意されて持ち運びが禁じられた表示装置１にのみ電子文書を表示する一方で、各個人所有の表示装置１に対しては電子文書を表示しない等の制限を行える。
【００４４】
また、利用者毎に表示を制限する場合には、各表示装置１が操作指示情報を送信する際に当該利用者を識別する利用者ＩＤを併せて送信し、制御装置２は、受信した利用者ＩＤに基づいて当該利用者の権限を取得し、当該権限と対象の電子文書の権限とを比較して当該利用者に対する表示が許可されているか否かを判定し、許可されている場合（利用者の権限が電子文書の権限と同じ又はそれ以上の場合）にページ画像を返送する。これにより、例えば、制御装置２の通信圏内に他人の表示装置１がある場合であっても、当該表示装置１に対しては電子文書を表示しない等の制限を行える。
【００４５】
なお、本例では、表示装置１に予め記憶された利用者ＩＤを制御装置２に送信して権限判定を行っているが、例えば、表示装置１に利用者ＩＤ及びパスワードの入力を利用者から受け付ける機能や、指紋・サインなどの利用者毎に異なる生物的な特徴を読み取る機能を設け、これらを制御装置２に送信してユーザ認証を行った後に権限判定を行ってもよい。また、制御装置２に利用者ＩＤと媒体ＩＤとの対応付けテーブルを持たせ、表示装置１から送信される媒体ＩＤに基づいて利用者ＩＤを特定して権限判定を行ってもよい。
なお、本例では、文書権限テーブル２６に電子文書単位で権限を設定しているが、ページ単位で権限を設定してもよい。
【００４６】
図９は、本発明の更に他の一例に係る表示装置５の機能構成を示しており、図１０は、当該表示装置５の外観を示している。
本例の表示装置５は、画像を表示する第１表示手段３１及び第２表示手段３２、第１表示手段３１に対して利用者が行った表示操作を検出する第１検出手段３３、第２表示手段３２に対して利用者が行った表示操作を検出する第２検出手段３４、第１表示手段３１及び第２表示手段３２によるページ画像の表示を制御する制御手段３５、利用者から操作入力を受け付ける操作手段３６、電子文書の情報を記憶する文書情報記憶手段３７、を備えている。
【００４７】
本例では、ペン４の接触を感知する感圧シートを第１表示手段３１及び第２表示手段３２の略全面に亘って設けており、当該感圧シートにより第１検出手段３３及び第２検出手段３４を構成している。すなわち、第１表示手段３１又は第２表示手段３２に対するペンタッチを表示操作として検出し、その検出順に対応するページ順のページ画像を該当する第１表示手段３１又は第２表示手段３２に表示させる。
【００４８】
ここで、上記の各実施例における各表示装置１、３、及び制御装置２は、ＣＰＵ（Central Processing Unit）等の演算部やＲＡＭ（Random Access Memory）等の記憶部といったハードウェア資源を有するコンピュータが、本発明に係るプログラムを実行することで実現している。
具体的には、コンピュータが有するＲＯＭ（Read Only Memory）内に本発明に係るプログラムを予め記憶保持しており、当該プログラムを読み出して記憶部に展開し、演算部により実行させることで本発明に係る各機能手段を構成している。
【００４９】
なお、例えば、ＣＤ−ＲＯＭ（Compact Disc Read Only Memory）やメモリカートリッジ等の外部記憶媒体を装填するスロット等の媒体接続部をコンピュータに設け、本発明に係るプログラムをコンピュータ読み取り可能に記憶保持した外部記憶媒体から当該媒体接続部によりプログラムを読み出して実行してもよい。また、例えば、本発明に係るプログラムを送信する機能を有するサーバ装置との通信をネットワークを介して行う通信部をコンピュータに設け、当該通信部によりサーバ装置からプログラムを受信して実行してもよい。また、上記のように外部から取得した本発明に係るプログラムをコンピュータのＨＤＤ（Hard Disk Drive）に記憶保持するようにし、当該ＨＤＤからプログラムを読み出して実行してもよい。
なお、上記のようなソフトウェア構成でなく、専用のハードウェア回路により本発明に係る各機能手段を構成してもよい。
【図面の簡単な説明】
【００５０】
【図１】本発明の一実施例に係る文書表示システムの機能構成を示す図である。
【図２】本発明の一実施例に係る表示装置の外観を示す図である。
【図３】本発明の一実施例に係るページ表示順を説明する図である。
【図４】本発明の一実施例に係る予約情報のデータ構成を示す図である。
【図５】本発明の他の一例に係る制御装置の機能構成を示す図である。
【図６】本発明の他の一例に係る文書権限テーブルを示す図である。
【図７】本発明の他の一例に係る利用者権限テーブルを示す図である。
【図８】本発明の他の一例に係る媒体権限テーブルを示す図である。
【図９】本発明の更に他の一例に係る表示装置の機能構成を示す図である。
【図１０】本発明の更に他の一例に係る表示装置の外観を示す図である。
【図１１】光書換型電子ペーパの構造を説明する図である。
【図１２】光書換型電子ペーパの動作原理を説明する図である。
【図１３】電気書換型電子ペーパの構造を説明する図である。
【図１４】電気書換型電子ペーパの動作原理を説明する図である。
【符号の説明】
【００５１】
１：表示装置、
２：制御装置、
１１：表示部、
１２：通信手段、
１３：媒体ＩＤ記憶手段、
１４：書込手段、
１５：検出手段、
２１：通信手段、
２２：制御手段、
２３：操作手段、
２４：文書情報記憶手段、
２５：予約情報記憶手段
【図１】
0005678399.tif 000002
【図２】
0005678399.tif 000003
【図３】
0005678399.tif 000004
【図４】
0005678399.tif 000005
【図５】
0005678399.tif 000006
【図６】
0005678399.tif 000007
【図７】
0005678399.tif 000008
【図８】
0005678399.tif 000009
【図９】
0005678399.tif 000010
【図１０】
0005678399.tif 000011
【図１１】
0005678399.tif 000012
【図１２】
0005678399.tif 000013
【図１３】
0005678399.tif 000014
【図１４】
0005678399.tif 000015